(57)【要約】      （修正有）【課題】玄関扉の室外の一部に電動ドリルで穴をあけて細い針金を挿入してサムタ−ン回しなどで開錠して玄関扉を開る犯罪を防止する錠を提供する。【解決手段】３個の角形或いは円形永久磁石４ａ，４ｂ、４ｃと板ラチェット６およびソケットレンチで構成した盗難防止用補助鍵を開発し玄関扉の室外と室内の枠内に装荷した。全て３個の角形或いは円形永久磁石４ａ，４ｂ、４ｃと板ラチェット６およびソケットレンチで簡単な回路構成で出来るので、最も安全な盗難防止用補助鍵の装置となる。【選択図】図３
2005325668.tif 000002
【特許請求の範囲】
【請求項１】
図３に示すようにデットボルト（１）とストライク（２）及びデットボルトを支える容器（３）、
該ストライク（２）の中へデットボルト（１）を挿入する時に、デットボルト（１）の後方に、角形或いは円形のヨ−クの中に装荷した永久磁石Ｍ１（４ａ）を固定した。Ｍ１の後方に間隔ｌを隔てて、四角柱の真鍮棒の上部の両側に、角形或いは円形永久磁石Ｍ２（４ｂ）と角形或いは円形永久磁石Ｍ３（４ｃ）を背中合わせに固定して置いた。
四角柱の真鍮棒（５）の下部は板ラチェット（６）の歯車の止めネジで固定し、板ラチェット（６）を玄関扉の室内アルミニウム板に固定した。
玄関扉の室内アルミニウム板に、四角柱の真鍮棒（５）の下部が出る穴を設けた。四角柱の真鍮棒（５）にソケットレンチ（７）を挿入して回転すると、角形或いは円形永久磁石Ｍ２（４ｂ）と角形或いは円形永久磁石Ｍ３（４ｃ）は同時に回転する。時計方向或いは反時計方向のどちらか一方に、回転させたい時は図４ａに示す板ラチェット（６）の爪の位置を変えれば良い。
図３に示すように、角形或いは円形永久磁石Ｍ１（４ａ）の磁極面の磁極をＮ極にし、角形或いは円形永久磁石Ｍ２（４ｂ）の磁極面の磁極もＮ極にすると二つの磁石間には反発力が作用する。この反発力でストライク（２）の中へデットボルト（１）が挿入し、自動的に鍵が掛かる。
次に、さらにソケットレンチ（７）を回転させて角形或いは円形永久磁石Ｍ１（４ａ）の磁極面の磁極をＮ極にし、角形或いは円形永久磁石Ｍ３（４ｃ）の磁極面の磁極をＳ極にすると、Ｍ１とＭ３の異極間には吸引力が働く。この吸引力でストライク（２）の中からデットボルト（１）が抽出し、玄関扉が開く。
ソケットレンチ（７）を回転し続けると、Ｍ１とＭ２の極間で反発力が生じる。Ｍ１とＭ３の極間で吸引力が生じて、デットボルト（１）は挿入と抽出を繰り返す。
もし、磁力の強い永久磁石を玄関扉の室外アルミユウム板の表面に沿って、角形或いは円形永久磁石Ｍ１とＭ２およびＭ３に近づけても、図３に示すように、磁力線の出る方向は直角９０°になるので、デットボルト（１）の挿入と抽出には無関係で問題にならい。
また、ソケットレンチ（７）を四角柱の真鍮棒（５）に挿入したままにすると、玄関扉の室内扉の表面に突起物が生じる。もし、玄関扉の室外アルミユウム板の表面から、電動ドリルで穴を開けて、何らかの工具でサムタ−ン回しが出来ないように、四角柱の真鍮棒（５）からソケットレンチ（７）を取り外し出来るようにした。また、万一四角柱の真鍮棒（５）からソケットレンチ（７）を取り外しを忘れても、サムタ−ン回しが出来ない方向に、板ラチェット（６）の爪の位置を合わせる様にした。
これは安全な盗難防止用補助鍵の装置に用いた永久磁石を、電気磁石にして用いることができる。その場合、商用周波数５０Ｈｚ或いは６０Ｈｚで、交流電圧が１００Ｖから変圧器で低電圧にして用いる方法がある。交流電圧は＋と−が交互に変化するので、（電気磁石の磁極はＮ極とＳ極が交互に変わる）騒音が出やすい。騒音を無くすために、交流電圧を直流電圧に変換して使用する。電気磁石を用いると、コイルを巻くので装置が大きくなる。又、停電した時には、蓄電池に切り替える装置が不可欠であり、費用もがなり高くなる欠点がある。
現在、市販されている角形或いは円形永久磁石は小型で色々の種類のものがあって、磁力もかなり強い。停電しても心配ないし、価額もかなり安いという利点がある。
以上の利点から、安全な盗難防止用補助鍵の装置には、現在市販されている角形或いは円形永久磁石を用いた。図３に示すように、３個の角形或いは円形永久磁石と板ラチェットを用いた安全な盗難防止用補助鍵の装置。
【発明の詳細な説明】
【技術分野】
【０００１】  本発明は図２に示すように、玄関扉の室外と室内の枠内に安全な盗難防止用補助鍵を装荷し、室内からソケットレンチを回して、玄関扉を開閉できる安全な盗難防止用補助鍵に関するものである。
【背景技術】
【０００２】  従来から図１に示すような補助鍵が取り付けられてあり、最も代表的な鍵が採用されている。【０００３】  現在支流となっている玄関扉の鍵については図１に示す。現在、騒がれているピッキングと玄関扉の室外の一部に、電動ドリルで穴をあけて細い針金を挿入して、サムタ−ン回しをして玄関扉をあけて泥棒が侵入する場合が非常に多い。
【発明の開示】
【発明が解決しようとする課題】
【０００４】  従って、本発明は安全な盗難防止用補助鍵を開発した。３個の角形或いは円形永久磁石と板ラチェットを用いた最も安全な盗難防止用補助鍵を考案し、泥棒の侵入を防ぐ安全な盗難防止用補助鍵を実現することを目的とする。
【課題を解決しようとする手段】
【０００５】  上記の目的を達成するために、本発明に拘わる安全な盗難防止用補助鍵の構造を図３に示す。固定した玄関扉に取り付けたストライク（２）の中へデットボルト（１）を挿入する時に、玄関扉は鍵が掛かった状態になる。玄関扉を強く引いても、デットボルト（１）が強度に十分耐えられるように容器（３）で支えた。
ストライク（２）の中へデットボルト（１）を挿入する時の動作について詳細に述べる。
デットボルト（１）の後方に、角形或いは円形永久磁石Ｍ１（４ａ）を固定した。Ｍ１の後方に間隔ｌを隔てて、四角柱の真鍮棒（５）の上部の両側に角形或いは円形永久磁石Ｍ２（４ｂ）と角形或いは円形永久磁石Ｍ３（４ｃ）を背中合わせに固定して置いた。
四角柱の真鍮棒（５）の下部は板ラチェット（６）の歯車の止めネジで固定し、板ラチェットを玄関扉の室内アルミニウム板に固定した。
玄関扉の室内アルミニウム板に、四角柱の真鍮棒（５）の下部が出る穴を設けた。四角柱の真鍮棒（５）にソケットレンチ（７）挿入して回転すると、角形或いは円形永久磁石Ｍ２（４ｂ）と角形或いは円形永久磁石Ｍ３（４ｃ）は同時に回転する。時計方向或いは反時計方向のどちらか一方に回転させたい時、図４ａに示す板ラチェット（６）の爪の位置を変えれば良い。
図３に示すように、角形或いは円形永久磁石Ｍ１（４ａ）の磁極面の磁極をＮ極にし、角形或いは円形永久磁石Ｍ２（４ｂ）の磁極面の磁極をＮ極にすると二つの磁石間には反発力が作用する。この反発力でストライク（２）の中へデットボルト（１）が挿入し、自動的に鍵が掛かる。
次に、さらにソケットレンチ（７）を回転させると角形或いは円形永久磁石Ｍ１（４ａ）の磁極面の磁極をＮ極にし、角形或いは円形永久磁石Ｍ３（４ｃ）の磁極面の磁極をＳ極にすると、Ｍ１とＭ３の異極間に吸引力が働く。この吸引力でストライク（２）の中からデットボルト（１）が抽出し、玄関扉が開く。
ソケットレンチ（７）を回転し続けると、Ｍ１とＭ２の極間で反発力が生じる。Ｍ１とＭ３の極間では吸引力が生じて、デットボルト（１）が挿入と抽出を繰り返す。
もし、磁力の強い永久磁石を玄関扉の室外アルミユウム板の表面に沿って角形或いは円形永久磁石Ｍ１とＭ２およびＭ３に近づけても、図３に示すように磁力線の出る方向は直角９０°になるのでデットボルト（１）の挿入と抽出には無関係で問題にならい。
また、ソケットレンチ（７）を四角柱の真鍮棒（５）に挿入したままにすると、玄関扉の室内扉の表面に突起物が生じる。もし、玄関扉の室外アルミユウム板の表面から、電動ドリルで穴を開けて、何らかの工具でサムタ−ン回しが出来ないように、四角柱の真鍮棒（５）からソケットレンチ（７）を取り外し出来るようにしてある。また、万一四角柱の真鍮棒（５）からソケットレンチ（７）の取り外しを忘れても、サ厶タ−ン回しが出来ない方向に、板ラチェット（６）の爪の位置を合わせる様にしている。
これは安全な盗難防止用補助鍵の装置に用いた永久磁石を、電気磁石にして用いることができる。その場合、商用周波数５０Ｈｚ或いは６０Ｈｚで、交流電圧が１００Ｖから変圧器で低電圧にして用いる方法がある。交流電圧は＋と−が交互に変化するので、（電気磁石の磁極はＮ極とＳ極が交互に変わる）騒音が出やすい。騒音を無くすために、交流電圧を直流電圧に変換して使用する。電気磁石を用いると、コイルを巻くので装置が大きくなり、又、停電した時には、蓄電池に切り替える装置が不可欠であり、費用もかなり高くなる欠点がある。
現在、市販されている角形或いは円形永久磁石は小型で色々の種類のものがあって、磁力もかなり強い。停電しても心配ないし、価額もかなり安いという利点がある。
以上の利点から、安全な盗難防止用補助鍵の装置には、現在市販されている角形或いは円形永久磁石を用いた。
３個の角形或いは円形永久磁石と板ラチェット（６）を利用している簡単な回路構成で出来ているので、最も安全な盗難防止用補助鍵の装置を備えている。
【発明の効果】
【０００６】  本発明の最も安全な盗難防止用補助鍵の装置は３個の角形或いは円形永久磁石と板ラチェット（６）を用いる。３個の角形或いは円形永久磁石のうち、１個の永久磁石Ｍ１はデットボルト（１）の後方に固定した。残りの２個は四角柱の真鍮棒（５）の上部の両側に、永久磁石Ｍ２とＭ３を背中合わせに固定して置いた。
四角柱の真鍮棒（５）にソケットレンチ（７）を挿入して回転させると、角形或いは円形永久磁石Ｍ２と永久磁石Ｍ３は同時に回転して、デットボルト（１）が挿入と抽出できるような構造にした。
故に、玄関扉の室外アルミニウム板の表面に沿って、磁力の強い永久磁石を３個の永久磁石に近づけても、図３に示すように、磁力線の出る方向は直角９０°になる。故に、デットボルト（１）の挿入と抽出には無関係で問題にならい。
また、ソケットレンチ（７）を四角柱の真鍮棒（５）に挿入したままにすると、玄関扉の室内扉の表面に突起物が生じる。もし、玄関扉の室外アルミユウム板の表面から電動ドリルで穴を開けて、何らかの工具でサムタ−ン回しが出来ないように四角柱からソケットレンチ（７）を取り外し出来るようにした。また、万一四角柱からソケットレンチ（７）の取り外しを忘れても、サムタ−ン回しが出来ない方向に、板ラチェット（６）の爪の位置を合わせる様にしたので、簡単に玄関扉を開かない利点がある。
【発明を実施するための最良の形態】
【０００７】  次に、本発明の実施の形態を述べる。本発明の３個の角形あるいは円形永久磁石と板ラチェットを用いた最も安全な盗難防止用補助鍵を実現した。
【実施例１】
【０００８】  本発明の盗難防止用補助鍵の実施の形態を述べると、詳細な構造を図３を用いて説明する。
図３に示すように、玄関扉の固定した扉に取り付けたストライク（２）の中へデットボルト（１）を挿入した時に、玄関扉の鍵が掛かった状態になる。玄関扉を強く引いても、デットボルト（１）は強度に十分耐えられる容器（３）で支えた。
永久磁石を用いて自動的にストライク（２）の中へデットボルト（１）が挿入する状態について述べる。
図３に示すように、デットボルト（１）の後方に角形或いは円形永久磁石Ｍ１（４ａ）を固定した。Ｍ１の後方に間隔ｌを隔てて、四角柱の真鍮棒（５）の上部の両側に角形或いは円形永久磁石Ｍ２（４ｂ）と角形或いは円形永久磁石Ｍ３（４ｃ）を背中合わせに固定して置いた。
四角柱の真鍮棒（５）の下部は板ラチェット（６）の歯車の止めネジで固定し、板ラチェットを玄関扉の室内アルミニウム板に固定した。
玄関扉の室内アルミニウム板に、四角柱の真鍮棒（５）の下部が出る穴を設けた。四角柱の真鍮棒（５）にソケットレンチ（７）を挿入して回転させると、角形或いは円形永久磁石Ｍ２（４ｂ）と角形或いは円形永久磁石Ｍ３（４ｃ）は同時に回転する。時計方向或いは反時計方向のどちらか一方に、回転させたい時は図４ａに示す板ラチェット（６）の爪の位置を変えれば良い。
図３に示すように、角形或いは円形永久磁石Ｍ１（４ａ）の磁極面の磁極をＮ極にし、角形或いは円形永久磁石Ｍ２（４ｂ）の磁極面の磁極をＮ極にすると二つの磁石間には反発力が作用する。この反発力でストライク（２）の中へデットボルト（１）が挿入し、自動的に鍵が掛かる。
次に、さらにソケットレンチ（７）を回転させて角形或いは円形永久磁石Ｍ１（４ａ）の磁極面の磁極をＮ極にし、角形或いは円形永久磁石Ｍ３（４ｃ）の磁極面の磁極をＳ極にすると、Ｍ１とＭ３の異極間に吸引力が働く。この吸引力で、ストライク（２）の中からデットボルト（１）が抽出し、玄関扉が開く。
ソケットレンチ（７）を回転し続けると、Ｍ１とＭ２の極間で反発力を生じる。Ｍ１とＭ３の極間では吸引力が生じて、デットボルト（１）は挿入と抽出を繰り返す。
もし、磁力の強い永久磁石を玄関扉の室外アルミユウム板の表面に沿って、角形或いは円形永久磁石Ｍ１とＭ２およびＭ３に近づけても、図３に示すように磁力線の出る方向は直角９０°になるので、デットボルト（１）の挿入と抽出には無関係で問題にならい。
また、ソケットレンチ（７）を四角柱の真鍮棒（５）に挿入したままにすると、玄関扉の室内扉の表面に突起物が生じる。もし、玄関扉の室外アルミユウム板の表面から、電動ドリルで穴を開けても、何らかの工具でサムタ−ン回しが出来ないように、四角柱の真鍮棒（５）からソケットレンチ（７）を取り外し出来るようにした。また、万一四角柱の真鍮棒（５）からソケットレンチ（７）を取り外しを忘れても、サムタ−ン回しが出来ない方向に、板ラチェット（６）の爪の位置を合わせるようにした。
これは安全な盗難防止用補助鍵の装置に用いた永久磁石を、電気磁石にして用いることができる。その場合、商用周波数５０Ｈｚ或いは６０Ｈｚで、交流電圧が１００Ｖから変圧器で低電圧にして用いる方法がある。交流電圧は＋と−が交互に変化するので、（電気磁石の磁極はＮ極とＳ極が交互にかわる）騒音が出やすい。騒音を無くすために、交流電圧を直流電圧に変換して使用する。電気磁石を用いると、コイルを巻くので装置が大きくなる。又、停電した時には、蓄電池に切り替える装置が不可欠であり、費用もかなり高くなる欠点がある。
現在、市販されている角形或いは円形永久磁石は小型で色々の種類のものがあって、磁力もかなり強い。停電しても心配ないし、価額もかなり安いという利点がある。
以上の利点から、安全な盗難防止用補助鍵の装置には、現在市販されている角形或いは円形永久磁石を用いた。
３個の角形或いは円形永久磁石と板ラチェットを利用した簡単な回路構成で出来ているので、最も安全な盗難防止用補助鍵の装置。
このような鍵はサムタ−ン回しは通用せず、鍵構造がわからないので侵入できない。
【産業上の利用可能性】
【０００９】  本発明は、玄関扉の室外と室内の枠内に、３個の角形或いは円形永久磁石と板ラチェットで構成した盗難防止用補助鍵を装荷する。
玄関扉のストライクの中からデットボルト（１）を抽出するには、ソケットレンチ（７）を回転させると、図３に示すように、角形或いは円形永久磁石Ｍ１（４ａ）の磁極面の磁極をＮ極にし、角形或いは円形永久磁石Ｍ３（４ｃ）の磁極面の磁極がＳ極にすると二つの磁極間には吸引力が働く。この吸引力でストライク（２）の中からデットボルト（１）が抽出し、玄関扉が開く。
ソケットレンチ（７）を回転し続けると、Ｍ１とＭ２の極間で反発力が生じる。Ｍ１とＭ３の極間で吸引力が生じて、デットボルト（１）は挿入と抽出を繰り返す。
もし、磁力の強い永久磁石を玄関扉の室外アルミユウム板の表面に沿って、角形或いは円形永久磁石Ｍ１とＭ２およびＭ３に近づけても、図３に示すように、磁力線の出る方向は直角９０°になるので、デットボルト（１）の挿入と抽出には無関係で問題にならい。
また、ソケットレンチ（７）を四角柱の真鍮棒（５）に挿入したままにすると、玄関扉の室内扉の表面に突起物が生じる。もし、玄関扉の室外アルミユウム板の表面から、電動ドリルで穴を開けても、何らかの工具でサムタ−ン回しが出来ないように、四角柱の真鍮棒（５）からソケットレンチ（７）を取り外し出来るようにしてある。また、万一四角柱の真鍮棒（５）からソケットレンチ（７）を取り外しを忘れても、サムタ−ン回しが出来ない方向に板ラチェット（６）の爪の位置を合わせる様にした。
３個の永久磁石と板ラチェットで構成した盗難防止用補助鍵を玄関扉に取り付けてあり、外部からどうして玄関扉を開けたら良いか、分からない安全な盗難防止用補助鍵の装置に関するものである。
【図面の簡単な説明】
【００１０】
【図１】  従来の玄関扉に取り付けた補助鍵の一例を示す図である。
【図２】  本発明に関する盗難防止用補助鍵に使用した玄関扉である。
【図３】  本発明に関する構造の全体図である。
【図４】  本発明に関する構造図でる。
【符号の説明】
【００１１】  １    デットボルト
２    ストライク
３    デットボルトを支える容器
４ａ  角形永久磁石Ｍ１
４ｂ  角形永久磁石Ｍ２
４ｃ  角形永久磁石Ｍ３
５    四角柱の真鍮棒
６    板ラチェット
７    ソケットレンチ
【図１】
2005325668.tif 000003
【図２】
2005325668.tif 000004
【図３】
2005325668.tif 000005
【図４】
2005325668.tif 000006